(57)【要約】【課題】重量や嵩がある鍋を、食器用水切りカゴとは別に限られたキッチンスペースの中で最小限のスペースで水切り保管する鍋水切りラックを提供する。【解決手段】上下方向に延びる支柱２に、鍋を裏向きの差し込む掛止部３を適宜間隔に複数形成する。掛止部３は、上方向に開口部を形成した溝孔形状で、支柱２に対して側面視が略斜め上方向に形成し、鍋の側面周部を掛止する構成である。支柱２の上部に支柱を固定する係止部６を備える。【選択図】図１
2013233410.tif 000002
【特許請求の範囲】
【請求項１】
上下方向に延びる支柱と、前記支柱に鍋を裏向きに差し込む複数の掛止部と、前記支柱の上部に支柱を固定する係止手段と、を備えた鍋水切りラックであって、
前記掛止部は、上方向に開口部を形成した溝孔形状で、前記支柱に対し側面視が略斜め上方向に形成され、鍋の側面周部を掛止する掛止部を構成することを特徴とする、鍋水切りラック。
【請求項２】
上下方向に延びる支柱の上端部で枢支連結された開脚可能な前後一対の支柱を形成し、前記前後一対の支柱には、鍋を裏向きに差し込む複数の掛止部を備えた鍋水切りラックであって、
前記掛止部は、上方向に開口部を形成した溝孔形状で、前記前後一対の支柱に対し側面視が略斜め上方向に形成され、鍋の側面周部を掛止する掛止部を構成し、
前記前後一対の支柱の開脚規制手段と、前記前後一対の支柱の最下部に支柱台と、を備えたことを特徴とする、鍋水切りラック。
【請求項３】
前記上方向に開口部を形成した溝孔形状の複数の掛止部で、前記掛止部の上辺が開口部入口から奥に向けて側面視の開口横幅が階段状に順次小さく形成し、を備えることを特徴とする、請求項１又は２に記載の鍋水切りラック。
【請求項４】
前記上方向に開口部を形成した溝孔形状の複数の掛止部の上辺が、各上辺の適宜位置に窪みを形成し、を備えることを特徴とする、請求項１又は２、３に記載の鍋水切りラック。
【請求項５】
上下に延びる支柱の適宜間隔に側面視が略斜め上方向に延びる複数の掛止バーと、前記支柱の適宜間隔に複数の突起部と、前記支柱の上部に支柱を固定する係止手段と、を備えた鍋水切りラックであって、
前記掛止バーは、前記支柱に対し側面視が略Ｖ字型を形成して鍋の側面周部を掛止する掛止部を構成し、
前記突起部は、前記掛止バーに掛止された鍋の開口周縁部を係止する位置に構成されることを特徴とする、鍋水切りラック。
【請求項６】
前記支柱が前後２本の支柱で構成され、前記前後２本の支柱を左右両側面から左右の掛止バーで挟み、前記左右の掛止バーは側面視が略斜め上方向に並列構成され、
前記突起部は、前記左右の掛止バーに掛止された鍋の開口周縁部を係止する位置に、前記前後２本の支柱を左右両側面から左右の突起バーで挟み突起部を構成されていることを特徴とする、請求項５に記載の鍋水切りラック。
【発明の詳細な説明】
【技術分野】
【０００１】
本発明は台所において、鍋の水切り、収納するラックに関するものである。
【背景技術】
【０００２】
台所での鍋を洗った後の水切りは、台所スペースの関係で、食器水切りカゴの食器の上に載置、またはシンク横の調理作業台に載せ水切りをしている場合が多い。
【０００３】
しかしながら、洗った食器類の上に、重量があり嵩が大きい鍋を載せると、不安定であり崩れ落ちることもある。また、食器類を取り出したい時は、上にある鍋が有るために取りにくくなる。さらに、食器類の上に鍋を重ねると下の食器が乾きにくくなるという課題がある。
【０００４】
また、シンク横の調理作業スペースに載せて水切りすると調理作業スペースが手狭になり、水切り保管場所として適当な場所でないという課題がある。
【先行技術文献】
【特許文献】
【０００５】
特許公開２００２−３３０８８０
登録実用新案第３１６６２７３号
【発明の概要】
【発明が解決しようとする課題】
【０００６】
本発明の目的は、以上の課題を鑑みてなされたものであり、食器用水切りカゴとは別に水切りでき、限られたキッチンスペースの中で重量や嵩がある鍋を最小限のスペースで水切り保管できる、鍋水切りラックを提供することにある。
【課題を解決するための手段】
【０００７】
上記目的を達成するため本発明は、以下の特徴を有している。
【０００８】
すなわち、上下方向に延びる支柱と、前記支柱に鍋を裏向きに差し込む複数の掛止部と、前記支柱の上部に支柱を固定する係止手段と、を備えた鍋水切りラックであって、
前記掛止部は、上方向に開口部を形成した溝孔形状で、前記支柱に対し側面視が略斜め上方向に形成され、鍋の側面周部を掛止する掛止部を構成することを特徴とする、鍋水切りラックである。  
【０００９】
本発明の鍋水切りラックは、上下方向に延びる支柱にある複数の掛止部に、裏向きにした鍋の側面周部を挿入して水切りする構成である。
【００１０】
鍋を不安定にいくつも積み重ねるのではなく、鍋の側面周部内側と開口周縁部の２点で掛止固定する構成になっている。
【００１１】
また、本発明の水切りラックは、上下方向に延びる支柱の上端部で枢支連結された開脚可能な前後一対の支柱を形成し、前記前後一対の支柱には、鍋を裏向きに差し込む複数の掛止部を備えた鍋水切りラックであって、
前記複数の掛止部は、上方向に開口部を形成した溝孔形状で、前記前後一対の支柱に対し側面視が略斜め上方向に形成され、鍋の側面周部を掛止する掛止部を構成し、
前記前後一対の支柱の開脚規制手段と、前記前後一対の支柱の最下部に支柱台と、を備えたことを特徴とする、鍋水切りラックである。
【００１２】
これは、鍋の側面周部を挿入掛止する掛止部を備えた前後一対の支柱を支柱上端部で枢支連結して、単独で立脚できる鍋水切りラックである。
台所の空きスペースなどに単独で立脚することが可能である。
【００１３】
本発明の水切りラックの掛止部は略上方向の開口部を形成した溝孔形状であるが、この溝孔形状の上辺が階段状に開口部入口から奥に向けて順次溝孔形状を小さく形成しているのが好ましい。
【００１４】
また、掛止部の溝孔形状上辺の適宜位置に窪みを形成し、鍋の開口周縁部がこの窪みに当接し安定固定されるのが好ましい。
【００１５】
さらに本発明の鍋水切りラックは、上下に延びる支柱の適宜間隔に側面視が略斜め上方向に延びる複数の掛止バーと、前記支柱の適宜間隔に複数の突起部と、前記支柱の上部に支柱を固定する係止手段と、を備えた鍋水切りラックであって、
前記掛止バーは、前記支柱に対し側面視が略Ｖ字型を形成して鍋の側面周部を掛止する掛止部を構成し、
前記突起部は、前記掛止バーに掛止された鍋の開口周縁部を係止する位置に構成されることを特徴とする、鍋水切りラックである。
【００１６】
この鍋水切りラックは、掛止バーに裏向きにした鍋の側面周部内側を掛止し、掛止された鍋の開口周縁部を突起部で固定係止することで、鍋を2点で安定掛止する構成になっている。
【００１７】
また、上下に延びる支柱が前後２本で構成され、前記前後２本の支柱を左右両側面から左右の掛止バーで挟み、前記左右の掛止バーは側面視が略斜め上方向に並列構成され、
前記左右の掛止バーに掛止された鍋の開口周縁部を係止する位置に、前記前後２本の支柱を左右両側面から左右の突起バーで挟み突起部を構成されることが望ましい。
【発明の効果】
【００１８】
上記のように構成された本発明によれば、鍋を食器用水切りカゴとは別に水切りができるので、食器類の取り出しや上に鍋があるための乾燥しにくい傾向の問題も生じない。
【００１９】
また、縦方向の支柱に並べて掛止するので複数の鍋を最小限のスペースで水切りすることができる。
【００２０】
さらに、第２で構成された本発明によれば、開脚された略三角形状のため、水切りラックを外部に係止することなく独立安定してどこでも設置できるので、限られたキッチンスペースで鍋の水切りができる。
【図面の簡単な説明】
【００２１】
【図１】本発明の第１実施形態の斜視図である。
【図２】本発明の第２実施形態の側面図である。
【図３】本発明の第３実施形態掛止部の拡大斜視図である。
【図４】本発明の第４実施形態掛止部の拡大斜視図である。
【図５】本発明の第１実施形態の参考使用状況の拡大側面図である。
【図６】本発明の第１実施形態の参考使用斜視図である。
【図７】本発明の第１実施形態の係止部６の参考実施例である。
【図８】本発明の第２実施形態の参考使用斜視図である。
【図９】キッチンにおける本発明第１実施形態の参考設置図である。
【図１０】本発明の第５実施例の側面図である。
【図１１】本発明の第５実施例形態の参考使用状況の拡大側面図である。
【図１２】本発明の第６実施例形態の斜視図である。
【図１３】本発明の第６実施例形態の参考使用斜視図である。
【発明を実施するための形態】
【００２２】
以下、本発明の実施の形態を、図面に基づき説明する。
図１及び図５、図６は本発明に係る鍋水切りラックの第１実施形態を示している。
この鍋水切りラック１は、上下方向に延びる支柱２に、上方向に開口部を形成した溝孔形状の複数の掛止部３は側面視が略上方向に適宜間隔で形成されている。この掛止部３は、掛止部上辺４と掛止部下辺５に構成される。
この掛止部３の角度は、床面に対して５０度から８５度近くであり、好ましくは６０度から８０度が適度である。また、掛止部３における掛止部上辺４と掛止部５の間隔は、好ましくは５ｍｍから２０ｍｍである。
【００２３】
図９は本発明のキッチンにおける参考設置図で、鍋水切りラック１は、外部、詳しくはキッチンカウンタ（天板）の上部、またはシンクの上部にある棚の下部や鴨居、壁等に支柱２の上部の支柱係止部６にて係止固定し、支柱２の最下部をキッチンカウンタ（天板）、シンクの上縁部等に載置して使用する形態としている。
【００２４】
また、支柱２を固定する係止部６は図７のようにキッチン上部に金具等を設置し、係止部６を挿通固定する方法もある。
【００２５】
このような鍋水切りラックに鍋１０を水切り保管することを図５で以下に説明すると、
鍋１０を裏向き方向にして鍋１０の開口周縁部１１を支柱２の掛止部３に挿入し、鍋の開口周縁部１１が掛止部３の奥位置で掛止部上辺４に当接する。
掛止部上辺４に当接した鍋１０は、図５においては時計回りに下降作用を生じるが、掛止部下辺５が鍋の側面周部内側１２に当接し、鍋１０の下降作用を止め掛止部３に安定掛止される。
【００２６】
図２及び図８は本発明に係る鍋水切りラックの第２実施形態を示している。
この鍋水切り収納ラック２１は、上下方向に延びる支柱２２の上端部で枢支軸２６により枢支連結され、開脚可能な前後一対の両支柱２２を形成している。前後一対の両支柱２２には、適宜間隔に側面視が略上方向の開口部を有する溝孔形状の掛止部２３を複数備えている。
【００２７】
この掛止部２３は、掛止部上辺２４と掛止部下辺２５に構成される。また、掛止部２３の角度は、床面に対して５０度から９０度近くであり、好ましくは６０度から８０度である。また、両支柱２２は、所定角度を超えて開脚しないように開き止め具３２によって開脚角度が規制されるようになっている。
【００２８】
また、鍋水切りラック２１の両支柱２２の最下部には支柱台３１が備えてある。
この支柱台３１は、第２実施形態においては支柱２２の開脚方向に対して直角方向に適宜の長さで備えてあるが、両支柱２２の直立状態を安定維持するにおいては形状、長さを規定するものではない。
【００２９】
本発明の掛止部２３は、側面視が略上方向の開口部を有する溝孔形状を形成し、好ましい側面視の開口横幅は８ｍｍから２０ｍｍ程度である。
【００３０】
しかし、鍋の種類によっては開口周縁部１１の厚み幅に大小の差がある。
本発明に係る鍋水切りラックの第３実施形態は、この鍋の開口周縁部の大小種類に対応することを目的としたものである。
【００３１】
図３で説明すると、掛止部３の掛止部上辺４を側面視の開口横幅が大きい上辺段差開口側４Ａと、開口横幅の小さい上辺段差奥側４Ｂを形成している。鍋１０の開口周縁部１１の幅の厚いものは上辺段差開口側４Aで係止し、開口周縁部１１の幅の比較的薄い鍋は上辺段差奥側４Bで係止して鍋を安定掛止することができる。
【００３２】
図４は本発明に係る水切りラックの第４実施形態を示していて、掛止部上辺４及び４Ａ，４Ｂに窪み７を形成している。
鍋１０の開口周縁部１１の形状の種類は多数存在し、特に開口周縁部１１が鍔状である場合がある。このような鍋の場合には、窪み７に鍔状の開口周縁部１１を入れることで鍋をさらに安定掛止することができる。
【００３３】
図１０、図１１は本発明に係る鍋水切りラックの第５実施形態を示している。
この鍋水切りラックは、上下に延びる支柱４１と、支柱４１に側面視が斜め上方向に延びる複数の掛止バー４３を備え、適宜間隔に突起部を形成する突起バー４２を複数備えた鍋水切りラックである。
掛止バー４３は、支柱４１に対し側面視が略Ｖ字型を形成して備えられ、側面視で支柱４１から飛び出す部分、または鍋の側面周部を係止できる長さは５０ｍｍから１００ｍｍあり、好ましくは６０ｍｍから９０ｍｍである。
また、掛止バー４３の角度は、床面に対して５０度から８５度近くであり、好ましくは６０度から８０度が適度である。
【００３４】
尚、この掛止バー４３と支柱４１は凹凸型による嵌着でもよいし、支柱４１の側面に掛止バーを固着する構成でもよい。
【００３５】
図１０の鍋水切りラックは、キッチンカウンタ（天板）の上部、またはシンクの上部にある棚の下部や鴨居、壁等に支柱４１の上部の支柱係止部４４にて係止固定し、支柱４１の最下部をキッチンカウンタ（天板）、シンクの上縁部等に載置して使用する形態としている。
【００３６】
このような鍋水切りラックに鍋１０を掛止するときは、支柱４１と掛止バー４３によりできた側面視が略Ｖ字型形状に鍋１０の開口周縁部１１を挿入し、鍋１０の側面周部内側１２を掛止バー４３に掛止する。そして、鍋１０の開口周縁部１１を突起部４２Ａまたは４２Ｂに係止する。
【００３７】
掛止バー４３に掛止された鍋１０は図１１では時計回りに下降作用が働くが、突起部４２Ａまたは４２Ｂに鍋１０の開口周縁部を係止するので鍋１０の時計回りの下降作用を止め安定掛止される。
【００３８】
尚、突起部４２Ａ、または４２Ｂの何れかに鍋１０の開口周縁部１１を係止するかは、開口周縁部１１の厚み幅の大小の違いで対応し、厚みが大きい場合は４２Ｂに係止し、厚みが小さい場合は４２Ａに係止するのが好ましい。
【００３９】
また、本実施例では突起部４２Ａ、４２Ｂは、棒状の部材を支柱４１の側面に固着し、掛止バー側に突出し突起部を形成しているが、その他方法として、樹脂系、ゴム等で支柱４１に嵌め込み嵌着する方法や、リベット等で鋲着し突起部を形成することもできる。
【００４０】
図１２及び図１３は本発明に係る鍋水切りラックの第６実施形態を示している。
鍋水切りラック５１は、前後２本の支柱５１Ｂ、５１Ａからなり、この２本の支柱を左右両側面から左右の掛止バー５３Ａ、５３Ｂで挟み、側面視斜め上方向に並列して構成している。
【００４１】
また、突起部を構成する突起バーも前後２本の支柱を左右両側面から左右の突起バー５２Ａ、５２Ｄ、及び開口周縁部１１の厚み幅が大きいものに対応できる５２Ｂ、５２Ｃで挟み、左右２本の掛止バー５３Ａ、５３Ｂに掛止した鍋の開口周縁部を係止する位置に構成する。
【００４２】
本実施例は、支柱を掛止バー、突起バーそれぞれ左右２本で挟み並列構成することで、掛止する鍋の支点が増え、より安定して掛止固定される。
【００４３】
また、第１から第４実施例までの本発明に係る鍋水切りラックにおいては、主に樹脂系、プラスチック系の成形によるものが好ましいが、第６の本実施例おいては、円筒状の部材を組み合わせて構成されるのが好ましい。
【００４４】
尚、本実施例について詳細に説明したが、具体的な記載内容は特に本発明を限定するものではない。例えば、支柱、掛止バー、突起バーは円筒状に限定されず、多角形状で組み合わせ構成されてもよい。
【符号の説明】
【００４５】
１    鍋水切りラック
２    支柱
３    掛止部
４    掛止部上辺
４Ａ  上辺段差開口側
４Ｂ  上辺段差奥側
５    掛止部下辺
６    支柱係止部
７    窪み
１０  鍋
１１  鍋の開口周縁部
１２  鍋の側面周部内側
２１  第２実施例の水切りラック
２２  支柱（第２実施形態）
２３  掛止部（第２実施形態）
２４  掛止部上辺（第２実施形態）
２５  掛止部下辺（第２実施形態）
２６  枢支軸
３１  支柱台
３２  開き止め具
４１  支柱（第５実施形態）
４２Ａ  突起部
４２Ｂ  突起部
４３  掛止バー
４４  支柱係止部（第５実施形態）
５１  第６実施例の鍋水切りラック
５１Ａ  支柱（第６実施形態  後側）
５１Ｂ  支柱（第６実施形態  前側）
５２Ａ  突起バー（第６実施形態）
５２Ｂ  突起バー（第６実施形態）
５２Ｃ  突起バー（第６実施形態）
５２Ｄ  突起バー（第６実施形態）
５３Ａ  掛止バー（第６実施形態）
５３Ｂ  掛止バー（第６実施形態）
５４  支柱係止部（第６実施形態）
【図１】
2013233410.tif 000003
【図２】
2013233410.tif 000004
【図３】
2013233410.tif 000005
【図４】
2013233410.tif 000006
【図５】
2013233410.tif 000007
【図６】
2013233410.tif 000008
【図７】
2013233410.tif 000009
【図８】
2013233410.tif 000010
【図９】
2013233410.tif 000011
【図１０】
2013233410.tif 000012
【図１１】
2013233410.tif 000013
【図１２】
2013233410.tif 000014
【図１３】
2013233410.tif 000015